(57)【要約】【課題】  遮光性に優れ、構造が簡単で、蓋を被せやすく且つ組立性に優れた感光記録材料用包装箱を提供すること【解決手段】  蓋体部９を被せることで内容物の取り出し開口２６を遮光可能に閉鎖できる取り出し部１１を備え、取り出し部の被覆部２５は互い同士が隣接して重なっているが固定されていない外側フラップ３５と内側摺動フラップ３７とから成り、取り出し部の第１面１９には第１面の一側部側の上部から第１面の他側部側の下部に掛けて斜めに形成された筋押し線３９が形成され、筋押し線より上方には筋押し線に沿って外側へ開放可能な開放フラップ４１が形成されている。【選択図】  図２
2006056520.tif 000002
【特許請求の範囲】
【請求項１】
蓋体部を被せることで内容物の取り出し開口を遮光可能に閉鎖できる取り出し部を備え、前記取り出し部は第１面と、第１面と対向する第２面と、前記第１面の一側部側において第１面及び第２面を固定的に接続する接続側板と、前記第１面の他側部側において前記第１面と第２面との間に形成される空間を覆う被覆部とを備え、前記被覆部は互い同士が隣接して重なっているが固定されていない外側フラップと内側摺動フラップとから成り、前記第１面には第１面の一側部側の上部から第１面の他側部側の下部に掛けて斜めに形成された筋押し線が形成されており、前記筋押し線より上方には該筋押し線に沿って外側へ開放可能な開放フラップが形成されていることを特徴とする感光記録材料用包装箱。
【請求項２】
請求項１において、前記筋押し線は下に凸に湾曲していることを特徴とする感光記録材料用包装箱。
【請求項３】
請求項１または２において、前記開放フラップを内側に押し込んだときに開放フラップの内側摺動フラップ側の部分が内側に折り曲がることができるように、内側摺動フラップの外縁が切り欠かれていることを特徴とする感光記録材料用包装箱。
【請求項４】
請求項１〜３のいずれか１項において、前記第１面の上辺が前記一側部側から他側部側へ掛けて低くなるように傾斜していることを特徴とする感光記録材料用包装箱。
【請求項５】
請求項２または３において、前記筋押し線の前記他側部側は、前記第１面と内側摺動フラップとの境界線に対してほぼ直交することを特徴とする感光記録材料用包装箱。
【請求項６】
蓋体部を被せることで内容物の取り出し開口を遮光可能に閉鎖できる取り出し部を備え、前記取り出し部は第１面と、第１面と対向する第２面と、前記第１面の一側部側において第１面と第２面との間に形成される空間を覆う第１被覆部と、前記第１面の他側部側において第１面と第２面との間に形成される空間を覆う第２被覆部とを備え、前記第１被覆部及び第２被覆部はそれぞれ、互い同士が隣接して重なっている外側フラップと内側摺動フラップとから成り、前記第１面には第１面の一側部側の上部から第１面の他側部側の下部に掛けて斜めに形成された第１筋押し線が形成されており、前記第１筋押し線より上方には第１筋押し線に沿って外側へ開放可能な第１開放フラップが形成され、また前記第１面には第１面の他側部側の上部から第１面の一側部側の下部に掛けて斜めに形成された第２筋押し線が形成されており、第２筋押し線より上方には第２筋押し線に沿って外側へ開放可能な第２開放フラップが形成されていることを特徴とする感光記録材料用包装箱。
【請求項７】
請求項６において、前記第１筋押し線及び第２筋押し線は下に凸に湾曲していることを特徴とする感光記録材料用包装箱。
【請求項８】
請求項６または７において、前記各内側摺動フラップの外縁は、前記第１開放フラップまたは第２開放フラップを内側に押し込んだときに、それぞれ前記第１開放フラップまたは第２開放フラップの対応する内側摺動フラップ側の部分が内側に折り曲がることができるように切り欠かれていることを特徴とする感光記録材料用包装箱。
【請求項９】
請求項７または８において、前記第１筋押し線及び第２筋押し線の対応する内側摺動フラップ側は、それぞれ前記第１面と該対応する内側摺動フラップとの境界線に対してほぼ直交することを特徴とする感光記録材料用包装箱。
【発明の詳細な説明】
【技術分野】
【０００１】
本発明は、Ｘレイフィルム等の感光記録材料の包装に適した包装箱に関する。
【背景技術】
【０００２】
Ｘレイフィルム等の感光記録材料を包装する場合、Ｘレイフィルム等が感光することを防止するために内箱と外箱とから成る二重の包装箱を使用することがある。このような包装箱は、従来例えば特許文献１に開示されているように、内箱の取り出し口部分が外側へ回動できるように構成されており、内容物の取り出し時に取り出し口部分を外側に回動させて内容物を取り出し易くしている。
【０００３】
また特許文献１に開示の回動可能な取り出し口部分の両側には扇形フラップが形成されており、この扇形フラップは遮光板として機能すると共に、取り出し口部分を回動するときに隣接する側板に案内されて案内板としても機能する。また扇形フラップの外縁は、取り出し口部分の閉鎖時には、扇形フラップと対向する面と摺動することにより、取り出し口部分が押し潰れることを防止している。
【０００４】
しかし内箱から内容袋を取り出すためには、そもそも内容袋の一部を指で把持できることができれば良く、取り出し口部分の全体を大きく開放する必要はない。また特許文献１に開示されるように取り出し口部分の両側を等しく回動させて開放する構造では、取り出し口部分の両側に回動部分を形成する必要があり、その分だけ構造が複雑に成りがちである。また、取り出し口部分の両側が開放する構造の場合、蓋の幅より少しでも広く取り出し口部分が開放している場合には、蓋を被せるときに指で取り出し口部分を内方へ押し込んだ状態で蓋を被せなければ成らないという問題点があった。更に回動部分は他の部分に比べて遮光性が劣る可能性があるから、できるだけ少ない方が好ましい。
【０００５】
【特許文献１】特開昭５４−１０４３２４号公報
【発明の開示】
【発明が解決しようとする課題】
【０００６】
そこで従来の包装箱が有している上記の問題点を考慮して、本発明は、遮光性に優れ、構造が簡単で、蓋を被せやすく且つ組立性に優れた感光記録材料用包装箱を提供することを課題とした。
【課題を解決するための手段】
【０００７】
本発明者は鋭意検討を重ねた結果、以下の構成を有する本発明の感光記録材料用包装箱によれば上記の課題を解決しうることを見い出した。
【０００８】
本発明の感光記録材料用包装箱は、蓋体部を被せることで内容物の取り出し開口を遮光可能に閉鎖できる取り出し部を備え、上記取り出し部は第１面と、第１面と対向する第２面と、上記第１面の一側部側において第１面及び第２面を固定的に接続する接続側板と、上記第１面の他側部側において上記第１面と第２面との間に形成される空間を覆う被覆部とを備え、上記被覆部は互い同士が隣接して重なっているが固定されていない外側フラップと内側摺動フラップとから成り、上記第１面には第１面の一側部側の上部から第１面の他側部側の下部に掛けて斜めに形成された筋押し線が形成されており、上記筋押し線より上方には該筋押し線に沿って外側へ開放可能な開放フラップが形成されていることを特徴とするものである（第１の態様）。
【０００９】
上記発明において、上記筋押し線は下に凸に湾曲していてもよい（第２の態様）。
また上記発明において、前記開放フラップを内側に押し込んだときに開放フラップの内側摺動フラップ側の部分が内側に折り曲がることができるように、内側摺動フラップの外縁が切り欠かれていてもよい（第３の態様）。
また上記発明において、上記第１面の上辺が上記一側部側から他側部側へ掛けて低くなるように傾斜していてもよい（第４の態様）。
また上記発明において、上記筋押し線の上記他側部側は、上記第１面と内側摺動フラップとの境界線に対してほぼ直交していてもよい（第５の態様）。
【００１０】
また本発明の他の感光記録材料用包装箱は、蓋体部を被せることで内容物の取り出し開口を遮光可能に閉鎖できる取り出し部を備え、上記取り出し部は第１面と、第１面と対向する第２面と、上記第１面の一側部側において第１面と第２面との間に形成される空間を覆う第１被覆部と、上記第１面の他側部側において第１面と第２面との間に形成される空間を覆う第２被覆部とを備え、上記第１被覆部及び第２被覆部はそれぞれ、互い同士が隣接して重なっている外側フラップと内側摺動フラップとから成り、上記第１面には第１面の一側部側の上部から第１面の他側部側の下部に掛けて斜めに形成された第１筋押し線が形成されており、上記第１筋押し線より上方には第１筋押し線に沿って外側へ開放可能な第１開放フラップが形成され、また上記第１面には第１面の他側部側の上部から第１面の一側部側の下部に掛けて斜めに形成された第２筋押し線が形成されており、第２筋押し線より上方には第２筋押し線に沿って外側へ開放可能な第２開放フラップが形成されていることを特徴とするものである（第６の態様）。
【００１１】
また上記第６の態様の発明において、上記第１筋押し線及び第２筋押し線は下に凸に湾曲していてもよい（第７の態様）。
また上記第６の態様の発明において、上記各内側摺動フラップの外縁は、上記第１開放フラップまたは第２開放フラップを内側に押し込んだときに、それぞれ上記第１開放フラップまたは第２開放フラップの対応する内側摺動フラップ側の部分が内側に折り曲がることができるように切り欠かれていてもよい（第８の態様）。
また上記第６の態様の発明において、上記第１筋押し線及び第２筋押し線の対応する内側摺動フラップ側は、それぞれ上記第１面と該対応する内側摺動フラップとの境界線に対してほぼ直交していてもよい（第９の態様）。
【発明の効果】
【００１２】
第１の態様によれば、開放フラップの他側部側だけを外側に開放することができるため、開放フラップの両側が開く場合に比べて取り出し部の構造を簡易にすることができ、また遮光性を高めることができる優れた感光記録材料用包装箱を提供できる。また開放フラップの一側部側は固定されているので、開放フラップの一側部側から蓋体部を被せやすい。
第２の態様によれば、開放フラップを外側に開いたときに、元の閉鎖した位置に自動的に戻ろうとするので、蓋体部を被せる作業が行いやすい。
第３の態様によれば、開放フラップの一側部側から蓋体部を斜めに被せた後、そのまま蓋体部を開放フラップの他側部側へ被せていくときに滑らかに被せやすい。
【００１３】
第４の態様によれば、開放フラップの一側部側から蓋体部を斜めに被せた後、そのまま蓋体部を開放フラップの他側部側へ被せていくときに、更に被せやすくなる。
第５の態様によれば、筋押し線を頻回折り曲げたときに、筋押し線と、第１面と内側摺動フラップとの境界線との接続部分が痛みにくい。
第６の態様によれば、第１開放フラップ及び第２開放フラップの各々一方の側だけを外側に開放することができるため、遮光性に優れた感光記録材料用包装箱を提供できる。使用者は、その利き手に応じて第１開放フラップか第２開放フラップかのいずれか開き易い方を選択して開放することができる。
【００１４】
第７の態様によれば、第１開放フラップ及び第２開放フラップのいずれか一方を外側に開いたときに、元の閉鎖した位置に自動的に戻ろうとするので、遮光性が高まる。
第８の態様によれば、取り出し部の一方から蓋体部を斜めに被せた後、そのまま蓋体部を取り出し部の他方へ被せていくときに滑らかに被せやすい。
第９の態様によれば、第１筋押し線または第２筋押し線を頻回折り曲げたときに、これらの筋押し線と、第１面と各内側摺動フラップとの境界線との接続部分が痛みにくい。
【発明を実施するための最良の形態】
【００１５】
以下において、本発明の感光記録材料用包装箱（以下、包装箱という）について、図面を参照しながら詳細に説明する。
図１は、本発明に係る包装箱１を示す斜視図であり、包装箱１は外箱部３と内箱部５とから成り、外箱部３は外箱本体部７と蓋体部９とを備えて成る。内箱部５の上部分には、内箱部内に収容される感光記録材料などを包装した内装袋Ｍを取り出すための取り出し部１１が形成されており、この取り出し部１１が外箱本体部７から上方へ突出しており、取り出し部１１の周囲に対して上方から蓋体部９を被せるように差し込むことで内箱部５内の遮光性が維持されるようになっている。また本例の外箱部３と内箱部５とは、別々の展開図を組み立てた後に両者を組み合わせて構成されているが、一枚の展開図から外箱部３と内箱部５とを一緒に組み立てる構成としてもよい。
【００１６】
本発明の包装箱１は内箱部５の特に取り出し部１１に特徴を有するので、以下内箱部５について詳細に説明する。内箱部５は一例として図４に示すような展開図１３を組み立てて構成されている。展開図１３において破線１５は谷折れ線を示し、一点鎖線１７は展開図１３の中心線を示す。
【００１７】
取り出し部１１は、図１において正面側を向いた前面１９（第１面に相当する）と、前面１９に対向する背面２１（第２面に相当する）と、図１中、前面１９の右側において前面１９と背面２１とを接続する接続側板２３と、図１中、前面１９の左側において前面１９と背面２１との間に形成される空間を覆う被覆部２５とを備え、その上部には取り出し開口２６が形成されている。接続側板２３は、図４の展開図１３におけるフラップ２７とフラップ２９とが重なった状態で両者を接着することにより構成されており、固定状態となっている。被覆部２５は、図４の展開図１３におけるフラップ３１がフラップ３３の外側に位置するように折り曲げられ、これら互い同士が隣接して重なっているが、フラップ３１とフラップ３３との間は接着されていない。展開図１３におけるフラップ３１とフラップ３３は、組み立て時にはそれぞれ外側フラップ３５及び内側摺動フラップ３７となっている。本発明では、上述のように取り出し部１１の一方が開放できないように固定されているため、この固定されている側から蓋体部９を被せ易いという特徴を有する。
【００１８】
取り出し部１１の前面１９には、接続側板２３との境界の上端から内側摺動フラップ３７の下端付近に掛けて、下に凸に湾曲した曲線の筋押し線３９が形成されており、この筋押し線３９より上側の前面１９には、筋押し線３９に沿って折れることにより図２に示すように外方へ開放可能な開放フラップ４１が形成されている。筋押し線３９の他端部側である被覆部２５側は、前面１９と内側摺動フラップ３７との境界線４０に対してほぼ直交するように形成されている。これにより、筋押し線３９を何回も折り曲げたときに、筋押し線３９と境界線４０との接続部分が痛むことを防止している。また開放フラップ４１の上辺４４は、前面１９の一側部側である接続側板２３側から他側部側である被覆部２５側へ掛けて低くなるように傾斜しており、上述したように取り出し部１１の固定された接続側板２３側から蓋体部９を被せた後で、被覆部２５側へ蓋体部９を被せていくときに蓋を被せやすくしている。開放フラップ４１の上辺４４には、開放フラップ４１を外側に開く際に指を掛けるための指掛け切り欠き４２が形成されている。
【００１９】
内側摺動フラップ３７の外縁３８は、図２及び図３に示すように湾曲しており、図３に示すように開放フラップ４１を内側に押し込んだときに、開放フラップ４１の内側摺動フラップ３７側の面が前面１９よりも内側に折り曲がることができるように、展開図１３においてフラップ３１とフラップ３３の外縁線５０の延長線より内側に切り欠かれている（図４の符号４３で示す切り欠かれた斜線の領域を参照）。このような構成を採用することにより、図３に示すように固定されている接続側板２３側から蓋体部９を斜めに被せた後、被覆部２５側へ蓋体部９を被せてくるときに、開放フラップ４１の内側摺動フラップ３７側が内側に変形可能で、その部分の幅が一時的に狭くなるため、蓋体部９を容易に取り出し部１１に被せることができるようになる。
【００２０】
次に上述した図１〜図４に示す実施形態の作用について説明する。図２に示すように蓋体部９を取り去った状態で、使用者は指掛け切り欠き４２に指を掛けて外側へ引くことにより、筋押し線３９に沿って開放フラップ４１が図２の左側において大きく開放する。従って使用者は、この開放した部分から感光記録材料の内装袋Mの上端を指で掴み、容易に内装袋Mを取り出すことができる。また内装袋Mから感光記録材料を取り出した後、内装袋Mを再度包装箱１に収納する場合には、内装袋Mを包装箱に入れ、図２に示すように、まず蓋体部９下側の開口部分を固定された接続側板２３側に斜めに差し込む。このとき接続側板２３側では開放フラップ４１が外側に開いていないため、容易に蓋体部９を被せることができる。次に斜めの蓋体部９を図２の矢印７１で示す方向に被せていく。このとき、一方の手で４２付近を内側へ押しながら他方の手で蓋体部９を被せると、よりスムーズに蓋体部９を被せることができる。
【００２１】
次に本発明の包装箱の他の実施形態について図５〜図７を参照しながら説明する。図５は、図１に示した外箱及び内箱から成る包装箱と基本構成が同様である包装箱から外箱を除去して内箱のみを示したものである。尚、図５〜図７中、図１〜図４の実施形態に関して使用した符号と同じ符号が付された部分は、同様な機能を有するので説明を省略する。また本例でも、実際の使用に際しては、内箱に外箱が一緒に組み込まれている点は、図１または図２の場合と同様である。
【００２２】
本実施形態では、上記実施形態で説明した筋押し線３９と同様な機能を有する斜めに曲線的に形成された２本の第１筋押し線４５及び第２筋押し線４７が設けられている。また前面１９の両側に外側フラップ４９、内側摺動フラップ５１がそれぞれ形成されており、図５の左側に第１被覆部５２、右側に第２被覆部５４が形成されている。そして第１筋押し線４５より上側に第１開放フラップ５３が形成され、第２筋押し線４７より上側に第２開放フラップ５５が形成されており、各開放フラップ５３、５５の上部には各々指掛け切り欠き５７、５９が形成されている。外側フラップ４９と内側摺動フラップ５１は糊付けされていてもいなくてもよく、糊付けされている場合は点接着などの態様を採用することにより、指掛け切り欠き５７、５９を手前に引けば容易に剥がれるようにしてあることが好ましい。
【００２３】
このような構成を備える実施形態では、使用者が右利きか左利きかによって指掛け切り欠き５７、５９のいずれに指を掛けるかが異なる。使用者が右利きの場合には、図６（ａ）に示すように左側に位置する指掛け切り欠き５７に指を掛けて手前に引き、第１開放フラップ５３が第１筋押し線４５に沿って曲がることで、第１開放フラップ５３の左上部分が大きく開放する。一方使用者が左利きの場合には、図６（ｂ）に示すように右側に位置する指掛け切り欠き５９に指を掛けて手前に引き、第２開放フラップ５５が第２筋押し線４７に沿って曲がることで、第２開放フラップ５５の右上部分が大きく開放する。使用者はこのような開放状態で、上記実施形態同様に内装袋Mを容易に取り出すことができる。
【００２４】
図７は本実施形態の展開図６１であり、図４の場合同様に、各内側摺動フラップ５１の外縁６３が、展開図６１においてそれぞれフラップ６５とフラップ６７の外縁線５０の延長線より内側に切り欠かれている（図７の符号６９で示す切り欠かれた斜線領域を参照）点は上記実施形態と同様である。
【００２５】
なお、上記２つの実施形態はいずれも内箱と外箱とを備える二重構造の包装箱であるが、一重の包装箱である場合にも、開放フラップを斜めに曲線的に形成された筋押し線に沿って取り出し部の一方だけを大きく開放する構造を採用することができる。
【産業上の利用可能性】
【００２６】
本発明の感光記録材料用包装箱は、様々な種類の感光記録材料を包装するための包装箱として広く利用することが可能である。特に、直接撮影医療用フィルムなどのＸレイフィルム用の包装箱として好ましく使用することができる。
【図面の簡単な説明】
【００２７】
【図１】本発明の感光記録材料用包装箱の一実施形態の斜視図である。
【図２】本発明の感光記録材料用包装箱の蓋体部を開け、再度閉鎖するときの様子を示す斜視図である。
【図３】蓋体部を被せるときに、開放フラップの内側摺動フラップ側の面が前面よりも内側に折り曲がる様子を示す側断面図である。
【図４】本発明の感光記録材料用包装箱の一実施形態の内箱部の展開図である。
【図５】本発明の感光記録材料用包装箱の他の実施形態の内箱部のみを示す斜視図である。
【図６】使用者の利き手により取り出し部の開放位置を変えることができる様子を示す斜視図である。
【図７】本発明の感光記録材料用包装箱の他の実施形態の内箱部の展開図である。
【符号の説明】
【００２８】
１  感光記録材料用包装箱
３  外箱部
５  内箱部
７  外箱本体部
９  蓋体部
１１  取り出し部
１３  展開図
１５  破線
１７  一点鎖線
１９  前面
２１  背面
２３  接続側板
２５  被覆部
２６  取り出し開口
２７  フラップ
２９  フラップ
３１  フラップ
３３  フラップ
３５  外側フラップ
３７  内側摺動フラップ
３８  内側摺動フラップの外縁
３９  筋押し線
４０  前面と内側摺動フラップとの境界線
４１  開放フラップ
４２  指掛け切り欠き
４３  切り欠かれた領域
４４  開放フラップの上辺
４５  第１筋押し線
４７  第２筋押し線
４９  外側フラップ
５０  フラップの外縁線
５１  内側摺動フラップ
５２  第１被覆部
５３  第１開放フラップ
５４  第２被覆部
５５  第２開放フラップ
５７  指掛け切り欠き
５９  指掛け切り欠き
６１  展開図
６３  内側摺動フラップの外縁
６５  フラップ
６７  フラップ
６９  領域
７１  矢印
Ｍ  感光記録材料の内装袋
【図１】
2006056520.tif 000003
【図２】
2006056520.tif 000004
【図３】
2006056520.tif 000005
【図４】
2006056520.tif 000006
【図５】
2006056520.tif 000007
【図６】
2006056520.tif 000008
【図７】
2006056520.tif 000009